(57)【要約】【課題】使用時には編地に引っ掛けやすく、かつ誤って踏んでも怪我をせず安全な編み機用錘を提供する。【解決手段】所定重量を有する箱型の本体ケース１と、編み機から送り出させる編地に係止される係止爪部２２を有し、係止爪部２２が本体ケース１内から突出した状態となる係止可能状態と係止爪部２２が本体ケース１内に収容された状態となる収容状態とを取り得るように構成された係止部材２と、係止部材２を係止可能状態となるように付勢する引きバネ３とを備えて編み機用錘１００を構成した。【選択図】図５
0003208961.tif 000002
【実用新案登録請求の範囲】
【請求項１】
所定重量を有する箱型の本体ケースと、
編み機から送り出させる編地に係止される係止爪部を有し、前記係止爪部が前記本体ケース内から突出した状態となる係止可能状態と前記係止爪部が前記本体ケース内に収容された状態となる収容状態とを取り得るように構成された係止部材と、
前記係止部材を前記係止可能状態となるように付勢する付勢部材と、
を備えていることを特徴とする編み機用錘。
【請求項２】
前記係止爪部を突出方向に押圧して前記係止部材の前記係止可能状態を維持させる操作部を有していることを特徴とする請求項１に記載の編み機用錘。
【請求項３】
前記本体ケース内には、所定重量を有する錘が収容されていることを特徴とする請求項１又は請求項２に記載の編み機用錘。
【請求項４】
前記係止爪部は、先端部が前記本体ケースの外側に折り返された鉤爪状の爪を櫛歯状に複数配置して構成されていることを特徴とする請求項１から請求項３のいずれか一項に記載の編み機用錘。
【請求項５】
前記係止部材は、板状の係止部材本体を有し、
前記係止爪部は前記係止部材本体の一端側に配置され、
前記係止部材本体における他端側は、前記本体ケース内に搖動可能に軸支されていることを特徴とする請求項４に記載の編み機用錘。
【請求項６】
前記操作部の上端部は、前記本体ケースの上面より低い位置に配置されていることを特徴とする請求項１から請求項５のいずれか一項に記載の編み機用錘。
【請求項７】
前記付勢部材は、前記係止部材が前記係止可能状態となるように前記係止部材を付勢する引きバネであることを特徴とする請求項１から請求項６のいずれか一項に記載の編み機用錘。
【考案の詳細な説明】
【技術分野】
【０００１】
本考案は、編み機用錘に関するものである。
【背景技術】
【０００２】
編み機を用いて編地を形成する場合、編み進むに伴って編地が浮き上がって針から外れてしまったり、編地によれや弛み、歪み等が生じやすくなる。
このような事態を防止するため、編み機を用いて編地を形成する場合には、編み機から送出された編地に編み機用錘を引っ掛け、送出方向に沿って編地全体に均等な力を掛ける工夫がなされている。
【０００３】
従来、こうした編み機用錘としては、例えば特許文献１に記載されているように、板状部の一端側に複数の爪を備える櫛歯状の係止爪部を設け、板状部の他端側にヒンジ等を介して本体部を連結させ、全体として所定重量を持たせたものが知られている。
このような編み機用錘は、使用時以外はヒンジ部分において折り畳むことができ、コンパクトな状態で収納したり持ち運ぶことができるようになっている。
【先行技術文献】
【特許文献】
【０００４】
【特許文献１】意匠登録０３４０４６７号公報
【考案の概要】
【考案が解決しようとする課題】
【０００５】
しかしながら、特許文献１に記載の編み機用錘では、板状部と本体部とが開いた状態である場合はもちろん、折り畳んだ状態においても、櫛歯状の係止爪部自体は外部に露出している。
このため、誤って編み機用錘を踏んだ場合等に怪我をするおそれがある。
このような問題は、一般の編み機に用いる編み機用錘の場合にも生じ得るが、特に子供が使用する編み機玩具等に用いる編み機用錘の場合に顕著となる。
【０００６】
本考案は、以上のような事情に鑑みてなされたものであり、使用時には編地に引っ掛けやすく、かつ誤って踏んでも怪我をせず安全な編み機用錘を提供することを目的とするものである。
【課題を解決するための手段】
【０００７】
前記課題を解決するために、本考案の編み機用錘は、
所定重量を有する箱型の本体ケースと、
編み機から送り出させる編地に係止される係止爪部を有し、前記係止爪部が前記本体ケース内から突出した状態となる係止可能状態と前記係止爪部が前記本体ケース内に収容された状態となる収容状態とを取り得るように構成された係止部材と、
前記係止部材を前記係止可能状態となるように付勢する付勢部材と、
を備えていることを特徴としている。
【０００８】
また、請求項２に記載の考案は、請求項１に記載の編み機用錘において、
前記係止爪部を突出方向に押圧して前記係止部材の前記係止可能状態を維持させる操作部を有していることを特徴としている。
【０００９】
また、請求項３に記載の考案は、請求項１又は請求項２に記載の編み機用錘において、
前記本体ケース内には、所定重量を有する錘が収容されていることを特徴としている。
【００１０】
また、請求項４に記載の考案は、請求項１から請求項３のいずれか一項に記載の編み機用錘において、
前記係止爪部は、先端部が前記本体ケースの外側に折り返された鉤爪状の爪を櫛歯状に複数配置して構成されていることを特徴としている。
【００１１】
また、請求項５に記載の考案は、請求項４に記載の編み機用錘において、
前記係止部材は、板状の係止部材本体を有し、
前記係止爪部は前記係止部材本体の一端側に配置され、
前記係止部材本体における他端側は、前記本体ケース内に搖動可能に軸支されていることを特徴としている。
【００１２】
また、請求項６に記載の考案は、請求項１から請求項５のいずれか一項に記載の編み機用錘において、
前記操作部の上端部は、前記本体ケースの上面より低い位置に配置されていることを特徴としている。
【００１３】
また、請求項７に記載の考案は、請求項１から請求項６のいずれか一項に記載の編み機用錘において、
前記付勢部材は、前記係止部材が前記係止可能状態となるように前記係止部材を付勢する引きバネであることを特徴としている。
【考案の効果】
【００１４】
この考案によれば、編み機用錘は、常態において係止爪部が本体ケース内から突出した状態となる係止可能状態となっているため、使用時には編地に引っ掛けやすく、かつ係止爪部が本体ケース内に収容され外部に露出していない状態となる収容状態を取り得るようになっているため、誤って踏んでも怪我をせず安全性が確保されるとの効果を奏する。
また、操作部によって係止爪部を突出方向に押圧して係止部材の係止可能状態を維持させることができるため、編地に引っ掛ける際に係止爪部が本体ケース内に引っ込まず、係止爪部を容易に編地に引っ掛けることができる。
さらに、編み機用錘の重量は、本体ケース内に収容された錘の重量を変えることで容易に変更することができ、編み機の仕様に応じて本体ケース等の部材の構成を変える必要がないため、生産コストを安価にすることができる。
また、係止爪部は、鉤爪状の爪を櫛歯状に複数配置して構成されているため、比較的広い範囲に均等な力を掛けやすくなっている。
また、係止部材本体における係止爪部が設けられていない側は本体ケース内に搖動可能に軸支されている。このため、係止爪部は係止可能状態と収容状態とを取り得るようになっている。
また、操作部の上端部は、本体ケースの上面より低い位置に配置されている。このため、誤って編み機用錘が踏まれた際に操作部が押圧されるのを回避して、より確実に安全を確保することができる。
また、引きバネによって係止部材が係止可能状態となるように係止部材を付勢しているため、簡易な構成で係止可能状態を維持することができる。
【図面の簡単な説明】
【００１５】
【図１】本実施形態に係る編み機用錘を表面側から見た斜視図である。
【図２】本実施形態に係る編み機用錘を裏面側から見た斜視図である。
【図３】編み機用錘から裏ケースを取り外した状態を示す斜視図である。
【図４】編み機用錘から表ケースを取り外した状態を示す斜視図である。
【図５】（ａ）は、係止部材が係止可能状態となった常態を示す断面図であり、（ｂ）は、操作部によって係止部材の係止可能状態を維持させ、編地横糸に係止爪部を引っ掛けた状態を示す断面図であり、（ｃ）は、係止部材が収容状態となった編み機用錘を示す断面図である。
【考案を実施するための形態】
【００１６】
以下、図面を参照しつつ、本考案に係る編み機用錘の一実施形態について詳細に説明する。
なお、以下に述べる実施形態には、本考案を実施するために技術的に好ましい種々の限定が付されているが、本考案の範囲を以下の実施形態及び図示例に限定するものではない。
【００１７】
図１は、本実施形態に係る編み機用錘の外観を表面側（すなわち、使用状態において外部に露出する側）から見た斜視図であり、図２は、本実施形態に係る編み機用錘の外観を裏面側（すなわち、使用状態において編地と対向する側）から見た斜視図である。
また、図３は、編み機用錘から裏ケースを取り外した状態を示す斜視図であり、図４は、編み機用錘から表ケースを取り外した状態を示す斜視図である。
また、図５（ａ）〜図５（ｃ）は、編み機用錘の側断面図である。
【００１８】
縦糸に横糸を絡ませながらある程度の幅のある編地を形成していく編み機（図示せず）では、編地の送出し方向にある程度テンションがかかった状態で編み動作を行わないと、途中で編地が浮き上がって針が外れてしまうおそれがある。
また、編地は送出し方向の端部や、幅方向の端部に巻き癖が付きがちであり、ある程度のテンションを掛けた状態を保たないと、中央部に向かって丸まってしまう傾向があり、美しい仕上がりとすることができない。
本実施形態の編み機用錘１００は、編み機から送り出させる編地に係止することによって、編地にテンションを掛けるものであり、編み機用錘１００を用いて編地にテンションを掛けながら編み動作を行うことで、針の抜けを防止するとともに、編地に弛みや歪み等が生じるのを防ぐものである。
【００１９】
以下、編み機用錘１００の具体的な構成について詳説する。
図１及び図２に示すように、本実施形態における編み機用錘１００は、所定重量を有する箱型の本体ケース１を備えている。
本実施形態において、本体ケース１は、表ケース１１及び裏ケース１２の２部材を嵌め合わせることで構成されている。
表ケース１１と裏ケース１２とは、例えば表ケース１１と裏ケース１２とを合わせた後、４隅をねじ止めすること等により一体化される。なお、表ケース１１と裏ケース１２とを一体化させる手法は特に限定されず、例えば接着固定等により一体化させてもよい。
【００２０】
図３及び図４に示すように、本実施形態では、本体ケース１内に、所定重量を有する錘５が収容されている。
具体的には、図３に示すように、表ケース１１における縦方向（図１〜図４における縦方向）の中央部付近に、表ケース１１における幅方向に延在し表ケース１１内を上下に区切る隔壁１１４が設けられている。また、図４に示すように、裏ケース１２における縦方向の中央部付近であって表ケース１１内の隔壁１１４に対応する位置に、裏ケース１２における幅方向に延在し裏ケース１２内を上下に区切る隔壁１２２が設けられている。
錘５は、この隔壁１１４，１２２によって区切られた本体ケース１の下部空間内に収容されている。錘５の重さは特に限定されないが、本実施形態では編み機用錘１００に含まれている他の部材と併せて編み機用錘１００全体の重量が１００ｇとなるように調整されており、錘５のみの重さは６５ｇ前後となっている。
【００２１】
編み機用錘１００は、１つの編地に対して、編地の幅方向に沿って複数取り付けることが想定されている。編地の歪み等を防ぐためには、編み機用錘１００は、例えば編地の幅方向の両端部等、編地の幅方向の左右ほぼ対照となる位置にバランス良く取り付けることが好ましい。
この点、編み機用錘１００自体の重量が揃っていない場合には、編み機用錘１００を編地に取り付けた際に偏りが生じて、編地の歪み等の原因となるため、錘５を含めた編み機用錘１００全体の重量は所定重量にほぼ揃っていることが好ましい。
なお、錘５の形状や重量、錘５が収容される場所等は特に限定されず、適宜変更可能である。また、本体ケース１自体を所定重量のある材料で形成する場合には、錘５を設けずに編み機用錘１００全体の重量を調整してもよい。
【００２２】
裏ケース１２の上部（図２及び図４における上部）には、窓部１２１が幅方向に延在して設けられている。
窓部１２１は、係止部材２の係止爪部２２を外部に露出させるものである。
後述するように、本実施形態では、係止部材２は、常態において、係止爪部２２が窓部１２１から本体ケース１の外部に突出した状態となる係止可能状態となっている。
【００２３】
また、裏ケース１２の内部であって、縦方向（図１〜図４における縦方向）のほぼ中央部の幅方向両側には、それぞれリブ１３が立設されており、このリブ１３にはそれぞれ本体ケース１の内側に向かって突出する軸部１４が設けられている。
後述するように、軸部１４は係止部材２の筒状部２４内に挿入されて、係止部材２を搖動自在に軸支するようになっている。
【００２４】
また、裏ケース１２の隔壁１２２における幅方向のほぼ中央部には、舌片状のバネ係止部１２３が形成されている。
このバネ係止部１２３は、先端がＬ字状に屈曲しており、バネ係止部１２３の先端部には、引きバネ３の一端側が係止される。
引きバネ３は、後述するように、係止部材２を係止可能状態となるように付勢する付勢部材である。
なお、係止部材２を係止可能状態となるように付勢する付勢部材は引きバネに限定されず、他の構成をとることも可能である。
【００２５】
表ケース１１における上部（図１及び図３における上部）であって本体ケース１における縦方向の位置が窓部１２１とほぼ同じである位置には、開口部１１１が設けられている。
表ケース１１の表面であって開口部１１１の外周には、表面よりも高さが高くなった縁部１１２が形成されている。
また、開口部１１１の内側には、表ケース１１の厚み方向に沿って立設されたガイド壁部１１３（図５（ａ）〜図５（ｃ）参照）が設けられている。
【００２６】
開口部１１１内には、操作部４が配置される。
操作部４は、係止爪部２２を突出方向に押圧して係止部材２の係止可能状態を維持させるものである。
操作部４は、ガイド壁部１１３にガイドされて本体ケース１の厚み方向に移動可能となっている。
本実施形態では、操作部４は中空のほぼ箱形の部材であり、操作部４における係止部材２に対向する部分は、係止部材２の常態（すなわち、係止爪部２２が本体ケース１の窓部１２１から突出した係止可能状態）における係止部材２の傾斜角度に応じた角度を有する斜面となっている。これにより、係止部材２の背面から係止爪部２２を突出方向に押圧する際に、操作部４は広く面で係止部材２に接触し、比較的均一な力で安定して係止爪部２２を押圧することができる。
【００２７】
また、操作部４における係止部材２との対向側端部には、外向きフランジ４１が形成されている。
編み機用錘１００の組み立て状態において、操作部４が押圧されていない初期状態では、外向きフランジ４１は、その上端面がガイド壁部１１３の下端部に突き当たる。これにより、操作部４は開口部１１１の外に飛び出したり外れたりしないようになっている。
また、操作部４は、その上端部が本体ケース１の上面と面一かこれよりも低い位置に配置されるようになっている。
本実施形態では、前述のように、表ケース１１の表面であって開口部１１１の外周に縁部１１２が形成されており、操作部４は、その上端部が少なくともこの縁部１１２よりも低い位置に配置される。
これにより、子供が編み機用錘１００を踏んだ場合等でも操作部４が誤って押圧されることがなく、意図せずに係止爪部２２が本体ケース１の外に突出して怪我をする等の危険を未然に防ぐことができる。
なお、図示は省略するが、操作部４と係止部材２の背面（係止爪部２２の突出側とは逆側の面）との間には、バネ等の付勢部材が配置されていることが好ましい。
これにより、操作部４が押圧されない状態において操作部４と係止部材２の背面との間の距離が一定に保たれ、操作部４が係止部材２の側に沈み込みすぎないようになっている。
【００２８】
係止部材２は、編み機から送り出させる編地に係止される係止爪部２２を有し、係止爪部２２が本体ケース１内から突出した状態となる係止可能状態と係止爪部２２が本体ケース１内に収容された状態となる収容状態とを取り得るように構成されている。
係止部材２は、例えばステンレス等の金属で形成されており、本実施形態では、板状の係止部材本体２１を有している。
この係止部材本体２１の一端側には係止爪部２２が配置されている。
係止爪部２２は、爪２３を櫛歯状に複数配置して構成されている。各爪２３は、その先端部が本体ケース１の外側に折り返された鉤爪状となっている。各爪２３の先端は、編地に引っ掛けやすいように多少外側（すなわち、編地側）に向かって反った形状となっている。なお、係止爪部２２の形状や爪２３の形状、数、配置等は図示例に限定されない。
【００２９】
係止部材本体２１における他端側のほぼ中央部には、バネ係止部２５が設けられている。本実施形態のバネ係止部２５は、金属板で形成された係止部材本体２１における他端側の一部に切り込みを入れて折り返した舌片状の部である。
バネ係止部２５には、一端側が前述のバネ係止部１２３に係止された引きバネ３の他端側が係止される。
本体ケース１側に設けられたバネ係止部１２３に一端側が係止された引きバネ３の他端側を、係止部材本体２１における係止爪部２２とは逆側の端部（他端側）に設けられたバネ係止部２５に係止させることで、係止部材本体２１の他端側が引きバネ３によって常に本体ケース１内部に引っ張られた状態となり、これとは逆側に設けられた係止爪部２２が常態において本体ケース１の外側に突出した状態となる。
【００３０】
また、係止部材本体２１における他端側は、本体ケース１内に搖動可能に軸支されている。
すなわち、本実施形態では、係止部材本体２１における他端側であってバネ係止部２５の両側には、板状の係止部材本体２１の端部を筒状に丸めて形成された筒状部２４が設けられている。
この筒状部２４内には、回動可能に前述の軸部１４が係止されている。
なお、係止部材本体２１を本体ケース１内に搖動可能に支持する構成はここに例示したものに限定されない。
【００３１】
次に、図５（ａ）から図５（ｃ）等を参照しつつ、本実施形態における編み機用錘１００の作用について説明する。
【００３２】
編み機用錘１００を組み立てる際には、まず、本体ケース１内に錘５を収容する。また、係止爪部２２が裏ケース１２の窓部１２１から露出可能な位置に係止部材２を配置して、軸部１４に係止部材２の筒状部２４を搖動自在に軸支させる。
さらに、引きバネ３の一端側をバネ係止部１２３に係止し、引きバネ３の他端側をバネ係止部２５に係止する。
また、表ケース１１の開口部１１１に、表ケース１１の裏面側（ケースの内側）から操作部４を嵌め込む。このとき、操作部４は外向きフランジ４１の上端面がガイド壁部１１３の下端部に突き当たる位置まで嵌め込まれる。
なお、操作部４と係止部材２との間に図示しないバネ等の付勢部材を配置することで、操作部４が、本体ケース１の厚み方向における適切な高さ位置に保持される。
上記のように、表ケース１１及び裏ケース１２内にそれぞれ部材を配置した後、表ケース１１と裏ケース１２とを嵌め合わせて４隅をねじ止め等により固定する。
これにより、編み機用錘１００の組み立てが完了し、編み機用錘１００は、図５（ａ）に示すように、係止爪部２２が本体ケース１内から突出した状態となる係止可能状態となる。
【００３３】
編み機用錘１００を編み機によって編まれた編地にセットする場合、図５（ａ）に示す状態で係止爪部２２を編地横糸Ｓ（図５（ｂ）参照）に引っ掛けることができる場合には、特に何の操作も行わず、編み機用錘１００における係止爪部２２の突出している側を編地に近づけて係止爪部２２を編地横糸Ｓに係止させる。
また、編地横糸Ｓの目が細かく詰まっている編地の場合等、係止爪部２２を単に編地横糸Ｓに引っ掛けようとすると係止爪部２２が編地に押されて本体ケース１内に収容されてしまうような場合には、図５（ｂ）に示すように、操作部４を白抜き矢印で示す方向に押し込んで係止爪部２２を突出方向に押圧し、係止部材２の係止可能状態を維持させた状態で編み機用錘１００における係止爪部２２の突出している側を編地に近づけて係止爪部２２を編地横糸Ｓに係止させる。
なお、編み機用錘１００は、１つの編地に対して、少なくとも編地の幅方向の端部かその近傍２か所に設けることが好ましく、さらに多くの編み機用錘１００を取り付けてもよい。１つの編地に対して複数の編み機用錘１００を取り付ける場合には、編地全体にできるだけ均一にテンションがかかるように、バランスよくほぼ等間隔に編み機用錘１００を取り付けることが好ましく、取り付ける高さ位置もできるだけ揃えることが好ましい。
なお、編み機用錘１００は、できるだけ編み機の針に近い、編地の上流側に取り付けることが好ましく、編地を編み進めるに伴って編み機用錘１００の位置が編み機の針から離れたときは、編み機用錘１００を編地の上流側に適宜付け替えていくことが好ましい。
【００３４】
床等に置かれた編み機用錘１００が踏まれる等した場合には、係止部材２は、図５（ｃ）に白抜き矢印で示すように、外部からの押圧に伴って係止爪部２２が本体ケース１内に収容された状態である収容状態となる。この状態において、係止爪部２２の背面側は操作部４の下端部に突き当たるが、操作部４は外向きフランジ４１の上端面がガイド壁部１１３の下端部に突き当たる位置で係止されているため、操作部４が開口部１１１から飛び出すことはない。
また、操作部４の上端部は開口部１１１の周囲に設けられた縁部よりも低い位置にあるため、仮に編み機用錘１００に表側から外力が加わった場合でも操作部４が意図せずに押圧されて係止爪部２２を本体ケース１の外部に押し出すことはなく、編み機用錘１００を踏むこと等による怪我を防ぐことができる。
【００３５】
以上のように、本実施形態によれば、編み機用錘１００は、常態において係止爪部２２が本体ケース１内から突出した状態となる係止可能状態となっている。このため、使用時には容易に編地に引っ掛けることができる。
また、人が踏む等により編み機用錘１００の係止爪部２２に外力が加えられたときには、図５（ｃ）に示すように、係止爪部２２が本体ケース１内に収容され外部に露出しない状態である収容状態を取り得るようになっている。このため、誤って踏んでも怪我をせず安全性が確保される。
また、操作部４によって係止爪部２２を突出方向に押圧して係止部材２の係止可能状態を維持させることができるため、編地に引っ掛ける際に係止爪部２２が本体ケース１内に引っ込まず、係止爪部２２を容易に編地に引っ掛けることができる。
さらに、本実施形態では本体ケース１内に錘５が収容されている。このため、編み機用錘１００の重量は、錘５の重量を変えることで容易に変更することができ、編み機の仕様等に応じて本体ケース１等の部材の構成を変える必要がなく、錘５の重量を変えることで対応でき、生産コストを安価にすることができる。
また、係止爪部２２は、鉤爪状の爪２３を櫛歯状に複数配置して構成されているため、編地の比較的広い範囲に均等な力を掛けやすくなっている。
また、係止部材本体２１における係止爪部２２が設けられていない側は本体ケース１内に搖動可能に軸支されている。このため、係止部材２は、軸部１４周りに回動することで容易に係止可能状態と収容状態とを取り得るようになっている。
また、操作部４の上端部は、本体ケース１の上面より低い位置に配置されている。このため、誤って編み機用錘１００が踏まれたりした際に操作部４が押圧されて係止爪部２２を本体ケース１の外に押し出してしまうことを回避して、より確実に安全を確保することができる。
また、本実施形態では引きバネ３によって係止部材２が係止可能状態となるように係止部材２を付勢している。このため、比較的簡易な構成で係止可能状態を維持することができる。
【００３６】
なお、以上本発明の実施形態について説明したが、本発明は、かかる実施形態に限定されず、その要旨を逸脱しない範囲で、種々変形が可能であることは言うまでもない。
【００３７】
例えば、本実施形態では、引きバネ３によって係止部材２が係止可能状態となるように係止部材２を付勢する構成としたが、係止部材２が係止可能状態となるように係止部材２を付勢する構成はこれに限定されない。
例えば、係止部材２を背面側から押圧する押しバネを設け、これにより、編み機用錘１００が、常態において係止爪部２２が本体ケース１内から突出した状態となる係止可能状態となるようにしてもよい。
【００３８】
また、本実施形態では、付勢部材としての引きバネ３を係止させる位置は、図示例に限定されず、引きバネ３によって係止部材２が係止可能状態となるように係止部材２を付勢することができる位置であればよい。
【００３９】
また、例えば、係止爪部２２が本体ケース１内に収容された状態となる収容状態が維持されるように、付勢部材の付勢力に抗して係止部材２をロックするロック機構をさらに設けて、長期間編み機用錘１００を使用しない場合や、編み機用錘１００を持ち運ぶような場合には、収容状態を維持できる構成としてもよい。
この場合には、長期間の保管時や持ち運び時等に確実に安全性を確保することが可能となる。
【００４０】
なお、その他、本発明が本実施形態に限定されず、適宜変更可能であることはいうまでもない。
【符号の説明】
【００４１】
１      本体ケース
２      係止部材
３      引きバネ
４      操作部
５      錘
１４    軸部
２１    係止部材本体
２２    係止爪部
２３    爪
２４    筒状部
２５    バネ係止部
４１    外向きフランジ
１００  編み機用錘
１１１  開口部
１１２  縁部
１１３  ガイド壁部
１２３  バネ係止部
Ｓ      編地横糸
【図１】
0003208961.tif 000003
【図２】
0003208961.tif 000004
【図３】
0003208961.tif 000005
【図４】
0003208961.tif 000006
【図５】
0003208961.tif 000007
【手続補正書】
【提出日】平成28年12月2日(2016.12.2)
【手続補正１】
【補正対象書類名】明細書
【補正対象項目名】０００８
【補正方法】変更
【補正の内容】
【０００８】
また、請求項２に記載の考案は、請求項１に記載の編み機用錘において、
前記係止爪部を突出方向に押圧して前記係止部材の前記係止可能状態を維持させる操作部を有していることを特徴としている。
また、請求項３に記載の考案は、請求項２に記載の編み機用錘において、
前記操作部の上端部は、前記本体ケースの上面より低い位置に配置されていることを特徴としている。
【手続補正２】
【補正対象書類名】明細書
【補正対象項目名】０００９
【補正方法】変更
【補正の内容】
【０００９】
また、請求項４に記載の考案は、請求項１から請求項３のいずれか一項に記載の編み機用錘において、
前記本体ケース内には、所定重量を有する錘が収容されていることを特徴としている。
【手続補正３】
【補正対象書類名】明細書
【補正対象項目名】００１０
【補正方法】変更
【補正の内容】
【００１０】
また、請求項５に記載の考案は、請求項１から請求項４のいずれか一項に記載の編み機用錘において、
前記係止爪部は、先端部が前記本体ケースの外側に折り返された鉤爪状の爪を櫛歯状に複数配置して構成されていることを特徴としている。
【手続補正４】
【補正対象書類名】明細書
【補正対象項目名】００１１
【補正方法】変更
【補正の内容】
【００１１】
また、請求項６に記載の考案は、請求項５に記載の編み機用錘において、
前記係止部材は、板状の係止部材本体を有し、
前記係止爪部は前記係止部材本体の一端側に配置され、
前記係止部材本体における他端側は、前記本体ケース内に搖動可能に軸支されていることを特徴としている。
【手続補正５】
【補正対象書類名】明細書
【補正対象項目名】００１２
【補正方法】削除
【補正の内容】
【手続補正６】
【補正対象書類名】実用新案登録請求の範囲
【補正対象項目名】全文
【補正方法】変更
【補正の内容】
【実用新案登録請求の範囲】
【請求項１】
所定重量を有する箱型の本体ケースと、
編み機から送り出させる編地に係止される係止爪部を有し、前記係止爪部が前記本体ケース内から突出した状態となる係止可能状態と前記係止爪部が前記本体ケース内に収容された状態となる収容状態とを取り得るように構成された係止部材と、
前記係止部材を前記係止可能状態となるように付勢する付勢部材と、
を備えていることを特徴とする編み機用錘。
【請求項２】
前記係止爪部を突出方向に押圧して前記係止部材の前記係止可能状態を維持させる操作部を有していることを特徴とする請求項１に記載の編み機用錘。
【請求項３】
前記操作部の上端部は、前記本体ケースの上面より低い位置に配置されていることを特徴とする請求項２に記載の編み機用錘。
【請求項４】
前記本体ケース内には、所定重量を有する錘が収容されていることを特徴とする請求項１から請求項３のいずれか一項に記載の編み機用錘。
【請求項５】
前記係止爪部は、先端部が前記本体ケースの外側に折り返された鉤爪状の爪を櫛歯状に複数配置して構成されていることを特徴とする請求項１から請求項４のいずれか一項に記載の編み機用錘。
【請求項６】
前記係止部材は、板状の係止部材本体を有し、
前記係止爪部は前記係止部材本体の一端側に配置され、
前記係止部材本体における他端側は、前記本体ケース内に搖動可能に軸支されていることを特徴とする請求項５に記載の編み機用錘。
【請求項７】
前記付勢部材は、前記係止部材が前記係止可能状態となるように前記係止部材を付勢する引きバネであることを特徴とする請求項１から請求項６のいずれか一項に記載の編み機用錘。